(57)【要約】      （修正有）【課題】着用者の所定部位に対する効果的な冷却作用を発揮できること、並びに、特に作業時に良好な着衣性を発揮できる冷却下着を提供すること。【解決手段】下着本体１の後身頃１ｄの下部には、複数本のチューブ４，８に外部から導入される冷却剤を供給する導入チャンバ２と冷却剤を外部に排出する横長の排出チャンバ３とを配置しており、導入チャンバには、４本の略同長の冷却剤流通用のチューブＣ１−Ｃ８をその一端部で接続し、当該導入チャンバの略中央の２本のチューブを立上げ、立襟に至らせ横向きジグザグ状に配置してから垂下させて当該チューブの他端部を前記排出チャンバに接続しており、導入チャンバと排出チャンバの接続口には、導入チャンバに送給する供給パイプと冷却剤を前記ポンプにより前記タンクに戻す戻しパイプとが、タンクとポンプを介在させて接続している冷却下着。【選択図】図１
2015224411.tif 000002
【特許請求の範囲】
【請求項１】
袖無し又は袖有りで立襟を備えた前身頃と後身頃を有する上衣状であって織地、編地、不織布、ネット地のいずれかにより形成された下着本体に水等の冷却剤を流通させるための複数体の柔軟チューブを配置してなる冷却下着において、
前記下着本体の後身頃の下部には、一端部が接続された複数本のチューブに外部から導入される冷却剤を供給する横長の導入チャンバと前記チューブの他端部が接続され当該チューブを通って戻って来る冷却剤を外部に排出する横長の排出チャンバとを配置しており、
前記導入チャンバには、略等間隔で少なくとも４本の略同長の冷却剤流通用チューブの一端部を接続し、当該導入チャンバの略中央部の２本のチューブを立上げ、前記後身頃の略中央部を真直に延伸させて前記立襟に至らせ該立襟の周面において横向きジグザグ状に配置してから前記立上げチューブの脇を垂下させた当該２本のチューブの他端部を前記排出チャンバに接続しており、
前記導入チャンバに接続されている残りのチューブは、前記導入チャンバから立上げて互いに交差することなく後身頃の下半側において左右略対称な略「状に配置すると共に該各チューブの先端側を前記左右の前身頃側に回しそこで縦向きジグザグ状に配置してから前記後身頃の側に戻して前記排出チャンバに接続しており、
前記導入チャンバと排出チャンバの接続口には、冷却剤タンクの冷却剤をポンプにより前記導入チャンバに送給する供給パイプと排出チャンバに前記各チューブから流入して来る冷却剤を前記ポンプにより前記タンクに戻す戻しパイプとが、当該タンクとポンプを介在させて接続している、
ことを特徴とする冷却下着。
【請求項２】
下着本体に配置されてから導入チャンバと排出チャンバに接続される各チューブの始端部と対応する終端部は、互いに隣接して前記導入チャンバと排出チャンバに位置づけられる請求項１に記載の冷却下着。
【請求項３】
前身頃に配置するチューブは略縦向きジグザグ状とし、かつ上半部の配置パターンを下半部の配置パターンより疎にした請求項１又は２に記載の冷却下着。
【請求項４】
冷却下着は、その下着本体の身頃に冷却剤を流通させるチューブを通すチューブ通路を形成するか、又は、前記チューブ通路と冷却剤の導入チャンバと排出チャンバを設置するためのチャンバ設置部とを形成した請求項１〜３のいずれかに記載の冷却下着。
【発明の詳細な説明】
【技術分野】
【０００１】
本発明は、着用者の所定部位に対する効果的な冷却効果を発現することができる
と共に、過酷な暑熱等の高温環境下での作業時に着用しても良好な着衣性を発揮できるように構成した冷却下着に関する。
【背景技術】
【０００２】
従来から暑熱環境など様々な高温、高熱環境下で着用して着用者の身体を冷却できるようにした冷却下着については、特許文献１〜３などによって多くの提案がなされてはいるが、実用化されているものは殆ど見当たらない。
【先行技術文献】
【特許文献】
【０００３】
【特許文献１】特許第４９０１５３６号公報
【特許文献２】特開２００８−７８７７号公報
【特許文献３】特開２００５−８９９６３号公報
【発明の概要】
【発明が解決しようとする課題】
【０００４】
本発明は、従来提案されている冷却下着において、着用者の所定部位に対する効果的な冷却作用を発揮できること、並びに、特に作業時に良好な着衣性を発揮できる冷却下着を提供することを課題とする。
【課題を解決するための手段】
【０００５】
上記課題を解決することを目的としてなされた本発明冷却下着の構成は、
袖無し又は袖有りで立襟を備えた前身頃と後身頃を有する上衣状であって織地、編地、不織布のいずれかにより形成された下着本体に水等の冷却剤を流通させるための複数体の柔軟チューブを配置してなる冷却下着において、
前記下着本体の後身頃の下部には、一端部が接続される複数本のチューブに外部から導入される冷却剤を供給する横長の導入チャンバと下着本体に配置された前記チューブの他端部が接続され当該チューブを通って戻って来る冷却剤を外部に排出する横長の排出チャンバとを配置しており、
前記導入チャンバには、略等間隔で少なくとも４本の略同長の冷却剤流通用のチューブをその一端部で接続し、当該導入チャンバの略中央の２本のチューブを立上げ、前記後身頃の面の略中央部を真直に延伸させて前記立襟に至らせ該立襟の周面に横向きジグザグ状に配置してから前記立上りチューブの脇を垂下させて当該チューブの他端部を前記排出チャンバに接続しており、
前記導入チャンバに接続されている残りのチューブは、前記チャンバから立上げ互に交差することなく前記後身頃の下半側において左右対称な複数の略「状に配置すると共に該チューブの先端側を前記左右の前身頃側に回しそこで縦向きジグザグ状をなすように配置してから前記後身頃の側に戻し前記排出チャンバに接続しており、
前記導入チャンバと排出チャンバの接続口には、冷却剤タンクの冷却剤をポンプにより前記導入チャンバに送給する供給パイプと排出チャンバに前記各チューブから流入して来る冷却剤を前記ポンプにより前記タンクに戻す戻しパイプとが、当該タンクとポンプを介在させて接続している、
ことを特徴とするものである。
【０００６】
本発明では、下着本体を織成又は編成されたネット地で形成し、そのネットの穴を前記チューブを通すチューブ通路とすることができる。また、ネットの網目の大きさ等を後身頃の上部と下部で変え、下部のネット穴に前記２つのチャンバを通して保持させることもある。また、本発明では、編地によって下着本体の身頃に冷却剤を流通させるチューブを通す略トンネル状のチューブ通路、又は、該チューブ通路と冷却剤の導入チャンバと排出チャンバを設置する略トンネル状のチャンバ設置部とを形成したものを用いることができる。この場合において前記各チューブは、できるだけ同じ長さのものを使用することが冷却効果を下着全体で均質化する上で好ましい。ここで、下着の全域で冷却効果の効率を上げ、かつ、均等化するには、使用するチューブの本数を６本以上、好ましくは８本乃至１０本程度とすることが好ましい。また、配置されたチューブが６本以上の場合、各チューブの各始端部と終端部の導入チャンバと排出チャンバへの接続は、導入チャンバに接続された各チューブの始端部の隣に当該チューブの終端部を位置づけその終端部を排出チャンバに接続する形態を採ると前記チャンバへの誤接続を防ぐことができ、かつ、各チューブの始端部と終端部を整然と導入，排出の両チャンバに接続することができる。なお、チューブの配置態様は、人体の冷点が密集するとされる部位に対して配置密度を高めたり、前屈等の動作の支障にならないような配置密度にするなど、下着本体上での配置態様を工夫することが好ましい。
【発明の効果】
【０００７】
本発明は、冷却剤を流通させるようにした冷却下着において、前記下着本体の後身頃の下部に、冷却剤を外部から導入して接続されたチューブに供給する横長の導入チャンバと前記チューブを通って戻って来る冷却剤を外部に排出する横長の排出チャンバとを配置し、
前記導入チャンバに、略等間隔で少なくとも４本の略同長の冷却剤流通用チューブの一端部を接続すると共に、当該チューブの中央部の2本をこの導入チャンバから立上げ、そのまま略真上に延伸させて前記立襟に至らせ該立襟の周面において横向きジグザグ状に配置してから前記立上りチューブの脇を垂下させて当該チューブの他端部を前記排出チャンバに接続し、
前記導入チャンバに接続されている残りのチューブは、互いに交わることなく、前記後身頃の下半側において左右略対称な複数の略「状に配置すると共にこれらチューブの先端側が前記左右の前身頃側に取り回しそこで略縦向きジグザグ状をなすように配置してから前記後身頃の側に戻して前記排出チャンバに接続し、
前記導入チャンバと排出チャンバにおける冷却剤の導入，排出の各接続口には、冷却剤タンクの冷却剤をポンプにより前記導入チャンバに送給する供給パイプと排出チャンバに前記各チューブから流入して来る冷却剤を前記ポンプにより前記タンクに戻す戻しパイプとを、当該タンクとポンプとを介在させて接続しているから、
特に太い動脈が通る頸部を効率よく冷却することができ、また、冷却剤を流通させるチューブに同じ長さで４本以上のチューブを用いた上で、前身頃と後身頃並びに脇身頃の前記チューブの配置が略均等な分布となるように配置パターンに上記工夫を施しているから、下着全体で冷却効果を略均等に発揮させることができ、しかも、作業時に着用者の姿勢が様々変化しても前記チューブの配置パターンによって姿勢の変化に冷却下着がよく追従でき、従って、作業時の冷却性、着衣性ともきわめて良好である。
【図面の簡単な説明】
【０００８】
【図１】本発明は冷却下着の一例の概要を説明するための背面図。
【図２】図１の冷却下着に接続される冷却剤の給排系統を模式的に示した説明図。
【図３】図１の冷却下着を正面側から見た正面図。
【発明を実施するための形態】
【０００９】
図１、図３において、１は左，右の前身項１ａ，１ｂをファスナ１ｃにより開閉自在に形成したベスト型（又は、ランニングシャツ型）をなす本発明冷却下着における下着本体である。本発明における下着本体１には上記例の袖なしベストタイプのほか、図示しない半袖又は長袖の袖ありタイプもある。
【００１０】
前記下着本体１は、織地、編地、不織布、ネット地などのいずれかによる生地で形成されたものであれば足りる。
【００１１】
本発明において、下着本体１が編地で形成される場合、その編成方法を選択することによって、下着本体１に、後述する水等の冷却剤が流通する可燃性のチューブＣを挿通して支持することができるようになったトンネル状のチューブ通路を形成した下着本体１とすることができる。なお、図では上記チューブ通路の表示は省略している。ネット地で下着本体１を形成した場合にはネットの網目をチューブ通路として機能させる。下着本体１が布帛製の場合、ベルト通しのようなチューブ保持具を各身頃に所要のパターンで設けその保持具をチューブ通路としてチューブを配置する。
【００１２】
前記チューブ通路のパターンとしては、後進頃１ｄの中央部位にこの後身頃１ｄの上下に亘る縦向きのパターンを多く配置すると共に、該後身頃１ｄの左右の外側寄りには大略Ｓ状や略逆Ｖ状等の不定形を含む複数の略「状パターンを配置することが望ましい。また、左右の前身頃の１ａ，１ｂチューブ通路のパターンは、概ね横向きパターン乃至縦向きジグザグ状パターンにすることが作業時に多い前屈み姿勢での着衣性などに鑑みると好ましい。なお、上記チューブ通路のパターンは、チューブ自体の配置パターンを規定する。従って、図のチューブＣの配置パターンはチューブ通路の配置パターンと同じになる。なお、チューブＣの具体的な配列パターンの例については後に詳しく述べる。ここで、上記の下着本体１は、高さを大き目に形成した立襟１Ａを具備している。
【００１３】
下着本体１に対し、上記で概説したパターンで配置されるチューブＣは、図１に後身頃１ｃの配置パターンの具体例を、図３に前身頃１ａ，１ｂの配置パターンの具体例を、それぞれ模式的に示す。ここでは、使用チューブＣは全部同じ長さ（ここでは一例として１８００〜２０００ｍｍ程度）で、内径が約２〜３ｍｍの柔軟なチューブＣを少なくとも４本（図の例では８本）を用いている。ここで配置される各チューブＣは、それぞれの始端部が下着本体１の後身頃１ｄの下部に位置付けられた、一例として管状をなす冷却剤の吐出チャンバ２（導入チャンバ２ともいう）に略等間隔のピッチで接続されると共に、前記各チューブＣにおける前記始端部に対応した終端部が、前記吐出チャンバ２と平行に隣接された冷却剤の戻りチャンバ３（排出チャンバ３ともいう）に、前記始端部の脇に並んで略等間隔のピッチで接続されている。このように複数本のチューブＣの各始端部と終端部とが隣に並んで接続される前記２つのチャンバ２と３には、後述する吐出ポンプを備えるポンプユニット６を介して冷却剤タンク７に接続される。
【００１４】
すなわち、前記両チャンバ２、３は、一例として2本の管状本体で形成されており、それぞれの他端が閉塞されていると共に、各管状本体の一端は開放された流体空間として形成されている。前記吐出チャンバ２の一端（開放端）２ａは、2本の給水チューブ４、５によってポンプユニット６を経由して冷却剤タンク７に接続されている
一方、戻りチャンバ３の一端（開放端）３ａは、排水チューブ８によって冷却剤タンク７に接続されている。ここで、前記タンクの容量は一例として１リットルであり、冷却剤としては７００〜８００ｃｃの水をこのタンク７内で凍らせ、呼び水２００〜３００ｃｃをこのタンク７に入れて形成している。なお、タンク７の容量や冷却剤の種類、性状は上記例に限られるものではない。
【００１５】
図２において、４ａ、４ｂ、５ａ、５ｂ、８ａ、８ｂは、それぞれ各チューブ４、５、８に設けた接続用コネクタである。図２において６ａ、６ｂは、前記チューブ５、４のコネクタ５ａ、４ｂが接続されるポンプユニット６の接続口、７ａは前記タンク７のキャップ、７ｂ、７ｃは前記キャップ７ａに設けた前記チューブ５、８のコネクタ５ｂ、８ｂが接続される接続口、７ｄは接続口７ｃに設けられたフィルタである。
【００１６】
次に、タンク７に収容されている冷却剤を流通させる複数本のチューブＣの配置パターンについて図１、図３により説明する。
図１において吐出チャンバ２（導入チャンバ）と戻りチャンバ３（排出チャンバ）の略中央部から略真上に直線状に立上げられて立襟１Ａに到達した２本のチューブＣ１、Ｃ２は、その襟部１Ａにおいて左右に振り分けられ、振り分けられたチューブＣ１、Ｃ２が当該立襟１Ａの略半周に対し横向きのジグザグ状をなして立襟１Ａの前部まで配置されている。立襟１Ａの前部に至ったチューブＣ１、Ｃ２は、そこでターンさせて下着本体１の後身頃１ｄにおける左右の肩甲骨近傍に戻されてその部分で略Ｓ状に配置されてから前記立上り部の傍を垂下させられ、戻りチャンバ３と吐出チャンバ２の略中央部位に接続されている。
【００１７】
上記戻りチャンバ３と吐出チャンバ２に終端部と始端部が接続された前記チューブＣ１、Ｃ２の前記チャンバ２、３の接続位置から見て左右の外側において前記チャンバ２、３に接続されるチューブＣ３、Ｃ４については、次のパターン例で下着本体１に配置されている。
【００１８】
すなわち、チューブＣ３、Ｃ４は、下着本体１の後身頃１ｄにおいて、前記チューブＣ１、Ｃ２と略平行に立上げられ、前記チューブＣ１、Ｃ２によって肩甲骨近傍に略Ｓ字状に配置された部位の側方（脇）から下方において、この後身頃１ｄの袖ぐりに沿う大略逆Ｖ状に配置され、そこから脇身頃を通って前身頃１ａ、１ｂの側に回され当該脇身頃と前身頃１ａ、１ｂと脇身頃において大略横向きＵ状に配置されてから再び後身頃１ｄの側に戻され、前記袖ぐりに沿って形成された先の略逆Ｖ状パターンに沿った略相似形のパターンに配置して戻りチャンバ３と吐出チャンバ２の位置に戻し、当該チャンバ３と２において前記チューブＣ１、Ｃ２の接続部位の外側に接続されている。
【００１９】
前記チューブＣ３、Ｃ４のそれぞれ左右の外側に位置して吐出チャンバ２と戻りチャンバ３に元々に接続された左右のチューブＣ５、Ｃ７とチューブＣ６、Ｃ８とは、それぞれ前記チャンバ２、３から立ち上げられたらすぐに左方と右方に曲げられ身頃の左右で対称な略「状と縦向きにジグザグ状に配置される。そして前記略「状とジグザグ状は、立上った後身頃１ｄの側とそこから脇身頃を経て左右前身頃１ａと１ｂの側に回った部位においても配置されている。後身頃１ｄの左右の下半部から左右の脇身頃を経て前身頃１ａと１ｂに回された前記チューブＣ５，Ｃ７とＣ６，Ｃ８は、前身頃１ａ，１ｂの上部から下部に亘り略ジグザグ状をなすように配置される。前身頃１ａ，１ｂで前記のように配置された左右のチューブＣ５、Ｃ７とＣ６、Ｃ８は後身頃１ｄの側に戻って各チューブＣ５、Ｃ７とＣ６、Ｃ８の各先端部が戻しチャンバ３と吐出チャンバ２に接続されている。
【００２０】
上記のように、本発明冷却下着の図示した実施例では、８本の同長のチューブＣ１〜Ｃ８が後身頃１ｄの吐出チャンバ２（と戻りチャンバ３）に接続されて立上げられ、立襟１Ａの全周から後身頃１ｄと左右の前身頃１ａ、１ｂの略全域に配置されていると共に、その配置パターンが、後身頃１ｄの略中央部位ではほぼ縦向きパターンに、また、該後身頃１ｄの上半例の左右では、略Ｓ字状パターンや略逆Ｖ状パターンを含む不定型パターンに、さらに当該後身頃１ｄの下半側では、左右対称的な略「状パターンを呈する点に特徴がある。
【００２１】
また、前記チューブＣ１〜Ｃ８のうち、吐出チャンバ２（と戻りチャンバ３）において左右の外側近傍に接続された左右のチューブＣ５、Ｃ７とＣ６、Ｃ８、は後身頃１ｄの左右の下半例において左右対称的な略「状パターンに配置される一方、左右の前身頃１ａ、１ｂの側に回されると、その身頃１ａ、１ｂにおいて大略縦向きのジグザグ状パターンを呈するように配置される点に特徴がある。そして前身頃１ａ，１ｂにおけるチューブの配列パターンは、上半身を疎に、下半部をそれより密にしている点にも特徴がある。
【００２２】
以上のように配置されたチューブＣ１〜Ｃ８へ、ポンプユニット６を作動させてタンク７から冷却剤が吐出チャンバ２に供給されると、該チャンバ２から各チューブＣ１〜Ｃ８に前記冷却剤が供給流入されて、下着本体１ａの上で配置されている各チューブＣ１〜Ｃ８を通って戻りチャンバ３に戻り、ポンプユニット６の吐出圧により戻りチューブ８を通ってタンク７に戻るという循環流通をする。これによって、本発明冷却下着の着用者はその身体上半身が効果的に冷却される。なお、上記ポンプユニット６はその容量は一例として２００〜３００ｍｌ／ｍｉｎのものを使用したが、本発明に用いるポンプの能力は上記例に限定されるものではない。図1、図３に例示した配置された各チューブＣ１〜Ｃ８に付けた矢印は冷却剤の流通方向の一例を示している。さらに本発明で使用されている前記ポンプユニット６とタンク７は、図示しないがこれらを収納できるように形成したキャリアバッグに入れた状態で当該バッグを上記冷却下着の着用者のベルト等に着脱自在に係止できるようにするとよい。
【００２３】
本発明は以上の通りであるから、以下の効果が得られる。
第一に大きな動脈があって発熱も大きい頸部を効率よく冷却するために、チューブＣ１、Ｃ２を後身頃の中央部で垂直に立上げてそのまま立襟１Ａの中に入れ立襟の中で横向きジグザグ状パターンに配置したから、発熱の大きな着用者の頸部を効果的に冷却することができる。
【００２４】
第二に、冷却用チューブＣ３〜Ｃ８の配置パターンは、後身頃の上半部は左右対称的な略Ｓ字状パターン等を含む不定形パターン、後身頃の下半部の左右の側部は左右対称な略「状の重なりパターンであってその全部が脇身頃を経て前身頃に回わるパターンに、左右の前身頃は上、下とも縦向きジグザグ状パターンであって前身頃、後身頃ともチューブの分布量（配置量又はチューブ長）はほぼ等しい乃至は大差のない配置形態であるから、着用者の上半身を前面、両側面、後面において効率よくかつ略均等に冷却することができる。特に、前身頃の上、下部におけるチューブの配置を、上部は疎に、下部はそれより密にして、前屈み姿勢での着用性が良好になる工夫をしているので、実作業用の冷却下着として有用である。
【００２５】
そして、上記のように配置されるすべてのチューブは、後身頃の下辺部において、吐出チャンバと戻りチャンバに接続された処理形態を採る一方、前記両チャンバはポンプを介在させ冷却剤タンクに接続されることにより、冷却剤を下着本体の全域に配設した各チューブを循環させるから、着用者の身体を効果的に冷却することができる。
【００２６】
本発明は、以上の通りであって暑熱環境のような高温、高熱環境下で作業をする従業員が着用して熱中症等になる身体の昇温を防ぐための下着としてきわめて有用である。
【符号の説明】
【００２７】
１  下着本体
１ａ、１ｂ  左右の前身頃
１ｃ  ファスナ
１ｄ  後身頃
１Ａ  立襟
２  吐出チャンバ（導入チャンバ）
３  戻りチャンバ（排出チャンバ）
４、５、８  給排水チューブ
６  ポンプユニット
７  冷却剤タンク
Ｃ１〜Ｃ８  冷却剤流通用のチューブ
【図１】
2015224411.tif 000003
【図２】
2015224411.tif 000004
【図３】
2015224411.tif 000005